(57)【要約】      （修正有）【課題】異形のワークの内径や外径などの寸法を測定するためにノギスに固定して用いることができるノギスの本尺用アダプタ及びノギスのスライダ用アダプタを提供する。【解決手段】本尺用アダプタは、ノギス１０の本尺の外側測定ジョウ１２に固定される固定用本体部２１と、固定用本体部に一体化して設けられ、ノギスの本尺の内側測定ジョウ１３における測定辺１３ａの線分の延長線上に軸心線が位置され、工作機械の軸チャック部にチャックされるチャック用シャフト部２３とを備える。スライダ用アダプタは、ノギスのスライダ１５の内側測定ジョウ１６に固定される固定用本体片部と、固定用本体片部に一体化して設けられ、スライダの内側測定ジョウ１６における測定辺１６ａの線分の延長線上に、測定対象物の外側を測定するための測定辺の線分が位置されるように形成された外側測定片部とを備える。【選択図】図１
0003231677.tif 000002
【実用新案登録請求の範囲】
【請求項１】
ノギスの本尺の外側測定ジョウに固定される固定用本体部と、該固定用本体部に一体化して設けられ、ノギスの本尺の内側測定ジョウにおける測定辺の線分の延長線上に軸心線が位置される部位であって、工作機械の軸チャック部にチャックされるチャック用シャフト部とを備えることを特徴とするノギスの本尺用アダプタ。
【請求項２】
前記固定用本体部が、ベース部と蓋部とによって構成され、該ベース部と蓋部とによって前記本尺の外側測定ジョウを挟むことで該本尺の外側測定ジョウに固定される形態に設けられていることを特徴とする請求項１記載のノギスの本尺用アダプタ。
【請求項３】
請求項１又は２記載のノギスの本尺用アダプタと共に、ノギスのスライダの内側測定ジョウに固定されて用いられるノギスのスライダ用アダプタであって、
前記スライダの内側測定ジョウに固定される固定用本体片部と、該固定用本体片部に一体化して設けられ、前記スライダの内側測定ジョウにおける測定辺の線分の延長線上に、測定対象物の外側を測定するための測定辺の線分が位置されるように形成された外側測定片部とを備えることを特徴とするノギスのスライダ用アダプタ。
【請求項４】
前記固定用本体片部が、ベース片部と蓋片部とによって構成され、該ベース片部と蓋片部とによって前記スライダの内側測定ジョウを挟むことで該スライダの内側測定ジョウに固定される形態に設けられていることを特徴とする請求項３記載のノギスのスライダ用アダプタ。
【考案の詳細な説明】
【技術分野】
【０００１】
この考案は、工作機械によって機械加工されている途中のワークなどに係る基準点からの長さについてノギスで測定できるように、前記工作機械の軸チャック部に装着して用いることができるノギスの本尺用アダプタ及びスライダ用アダプタに関する。
【背景技術】
【０００２】
本願考案者は、先に、工作機械で加工されている途中の異形のワークに係る内外形の長さ測定についても、適切に用いることができる長さ測定治具として、工作機械の軸チャック部にチャックされる本体固定シャフトがヘッド本体から突起した形態に設けられると共に、基準測定子を備える治具ヘッドと、治具ヘッドのヘッド本体において本体固定シャフトの軸心とは直交する方向に貫通された貫通孔に挿通され、貫通孔の貫通方向へスライド移動できるように長尺状に設けられると共に、移動測定子を備える治具ハンドルと、治具ハンドルのスライドを停止させて治具ヘッドに対する位置関係を保持するように、ヘッド本体に配設されて治具ハンドルを保持するツマミねじを具備する（特許文献１参照）ものを提案している。
【０００３】
しかしながら、この長さ測定具では、この特殊な形態の長さ測定具自体に目盛を付けることも可能ではあるが、基本的には、基準測定子と移動測定子との間隔をノギスなどの別体の測定具で測定することで、測定対象物（異形のワークなど）における寸法を測定するもので、測定対象物の寸法を直接的に測定するものではなかった。すなわち、その測定操作手順が、この長さ測定具の操作とノギスなどの別体の測定具の操作の二度手間になってしまい、効率的でなかった。
【先行技術文献】
【特許文献】
【０００４】
【特許文献１】実用新案登録第３２０４７２５号公報（第１頁）
【考案の概要】
【考案が解決しようとする課題】
【０００５】
ノギスの本尺用アダプタ及びスライダ用アダプタに関して解決しようとする問題点は、工作機械で加工されている途中の異形のワークなどについて、その内外形の長さ測定を、既存のノギスを利用して直接的に行うために、そのノギスを適切に工作機械に位置させるための器具が提案されていないことにある。
そこで本考案の目的は、異形のワークの内径や外径などの寸法を測定するためにノギスに固定して用いることができるノギスの本尺用アダプタ及びノギスのスライダ用アダプタを提供することにある。
【課題を解決するための手段】
【０００６】
本考案は、上記目的を達成するために次の構成を備える。
本考案に係るノギスの本尺用アダプタの一形態によれば、ノギスの本尺の外側測定ジョウに固定される固定用本体部と、該固定用本体部に一体化して設けられ、ノギスの本尺の内側測定ジョウにおける測定辺の線分の延長線上に軸心線が位置される部位であって、工作機械の軸チャック部にチャックされるチャック用シャフト部とを備える。
【０００７】
また、本考案に係るノギスの本尺用アダプタの一形態によれば、前記固定用本体部が、ベース部と蓋部とによって構成され、該ベース部と蓋部とによって前記本尺の外側測定ジョウを挟むことで該本尺の外側測定ジョウに固定される形態に設けられていることを特徴とすることができる。
【０００８】
また、本考案に係るノギスのスライダ用アダプタの一形態によれば、前記のノギスの本尺用アダプタと共に、ノギスのスライダの内側測定ジョウに固定されて用いられるノギスのスライダ用アダプタであって、前記スライダの内側測定ジョウに固定される固定用本体片部と、該固定用本体片部に一体化して設けられ、前記スライダの内側測定ジョウにおける測定辺の線分の延長線上に、測定対象物の外側を測定するための測定辺の線分が位置されるように形成された外側測定片部とを備えることを特徴とすることができる。
【０００９】
また、本考案に係るノギスのスライダ用アダプタの一形態によれば、前記固定用本体片部が、ベース片部と蓋片部とによって構成され、該ベース片部と蓋片部とによって前記スライダの内側測定ジョウを挟むことで該スライダの内側測定ジョウに固定される形態に設けられていることを特徴とすることができる。
【考案の効果】
【００１０】
本考案に係るノギスの本尺用アダプタによれば、工作機械で加工されている途中の異形のワークに係る内外形の長さ測定についても適切に用いることができるという特別有利な効果を奏する。
【図面の簡単な説明】
【００１１】
【図１】本考案に係る本尺用アダプタが固定されたノギスの形態例を示す正面図である。
【図２】図１の形態例の側面図である。
【図３】本考案に用いることができるノギスの形態例を示す正面である。
【図４】本考案に係る本尺用アダプタのベース部を示す（ａ）正面図及び（ｂ）側面図である。
【図５】本考案に係る本尺用アダプタの蓋部を示す（ａ）正面図及び（ｂ）側面図である。
【図６】図１の形態例でワークの内径を測定する際の使用状態を示す正面図である。
【図７】図１の形態例でワークの内径を測定する際の使用状態を示す側断面図である。
【図８】本考案に係るスライダ用アダプタが固定されたノギスの形態例を示す正面図である。
【図９】本考案に係るスライダ用アダプタのベース片部を示す（ａ）正面図及び（ｂ）側面図である。
【図１０】本考案に係るスライダ用アダプタの蓋片部を示す（ａ）正面図及び（ｂ）側面図である。
【図１１】図８の形態例でワークの外径を測定する際の使用状態を示す正面図である。
【考案を実施するための形態】
【００１２】
以下、本考案に係るノギスの本尺用アダプタの形態例を図面（図１〜７）に基づいて説明する。このノギス１０（図３参照）の本尺用アダプタ２０は、工作機械によって機械加工されている途中のワークなどに係る基準点からの長さについてノギス１０で測定できるように、工作機械の軸チャック部（心押し台５１など）に装着して用いることができるものである。なお、工作機械の軸チャック部としては、旋盤の心押し台５１や、フライス盤のミーリングチャックなどがある。
【００１３】
本考案に係るノギス１０の本尺用アダプタ２０は、ノギス１０の本尺１１の外側測定ジョウ１２に固定される固定用本体部２１と、その固定用本体部２１に一体化して設けられ、ノギス１０の本尺１１の内側測定ジョウ１３における測定辺１３ａの線分の延長線上に軸心線５２（図１、６など参照）が位置される部位であって、工作機械の軸チャック部にチャックされるチャック用シャフト部２３とを備える。図６及び７の形態例では、工作機械の軸チャック部の形態例として、旋盤の心押し台５１が示されている。
【００１４】
これによれば、図６及び７に示すように、ノギス１０の本尺の内側測定ジョウ１３における測定辺１３ａの線分が、工作機械（本形態例では旋盤）の旋回軸の軸心線５２と一致するように、ノギス１０をその工作機械に配置・装着することができる。このため、その装着されたノギス１０を使って、測定対象物について、その測定対象物の内側の長さを、通常のノギス１０の測定操作で直接的に測定することができる。なお、本形態例の測定対象物（異形のワーク６０）は、旋盤の三爪チャック５０によって旋盤の主軸５３に固定され、切削加工がなされる状態に配されている。
【００１５】
すなわち、図６及び７の形態例では、ノギス１０の本尺の内側測定ジョウ１３における測定辺１３ａの線分が、ゼロ点となっており、スライダの内側測定ジョウ１６を測定対象物（異形のワーク６０）に当てることで、その測定対象物である異形のワーク６０の内径の長さを適切に測定することができる。この測定操作は、ノギス１０の使用方法と同じであり、容易に行うことができる。
【００１６】
このように、本尺用アダプタ２０によれば、ノギス１０を工作機械に適切に設置でき、異形のワーク６０に係る内径などの長さ測定を適切に行うことができるため、工作機械で加工されている途中の異形のワーク６０に係る基準点からの長さについても適切に測定することができる。このため、この本尺用アダプタ２０によれば、測定対象物に関する長さの測定を、ノギス１０を介して適切に行うことができ、製品を、現物合わせや勘に頼らずに、誰でも必要な寸法に仕上げることができる。例えば、図６、７及び１１に示したような異形のワーク６０や、旋盤の三爪チャック５０の生爪に係る加工の際の内径を適切に測定できる。
【００１７】
また、本形態例の本尺用アダプタ２０では、固定用本体部２１が、ベース部２２と蓋部２５とによって構成され、そのベース部２２と蓋部２５とによって本尺の外側測定ジョウ１２を挟むことでその本尺の外側測定ジョウ１２に固定される形態に設けられている。このベース部２２及び蓋部２５を備える固定用本体部２１によれば、本尺用アダプタ２０を本尺の内側測定ジョウ１３に適切に固定することができると共に、チャック用シャフト部２３を適切に位置させることができる。
【００１８】
本形態例のベース部２２には、図４に示すように、本尺の外側測定ジョウ１２に倣った形成された溝部２２ａと、その溝部２２ａに穿設された二つの位置決め螺子取付用雌螺子部２２ｂ、２２ｂと、その溝部２２ａを形成する枠部２２ｃに穿設された三つの挟み付け固定用雌螺子部２２ｄ、２２ｄ、２２ｄとが設けられている。すなわち、溝部２２ａは、本尺の外側測定ジョウ１２が嵌って本尺用アダプタ２０の位置決めがなされるように設けられている。また、二つの位置決め螺子取付用雌螺子部２２ｂ、２２ｂは、なべ子ネジ形状の位置決め用ボルト４２が螺合し、その位置決め用ボルト４２の頭部が、ノギス１０に設けられた位置決め用貫通孔１２ａ（図１及び３参照）に内嵌されることで、本尺用アダプタ２０が位置決めされると共に脱落しないように設けられている。
【００１９】
また、本形態例の蓋部２５には、図５に示すように、前述のベース部２２の三つの挟み付け固定用雌螺子部２２ｄ、２２ｄ、２２ｄに対応して、固定用ボルト４１が挿通される固定用貫通孔２５ａが３箇所に設けられている。さらに、前述のなべ子ネジ形状の位置決め用ボルト４２の頭の干渉を逃がすための凹部２５ｂが２箇所に設けられている。
【００２０】
次に、以上に説明したノギスの本尺用アダプタ２０と共に、ノギス１０のスライダ１５の内側測定用ジョウ１６に固定されて用いられるノギス１０のスライダ用アダプタ３０の形態例を図面（図８〜１１）に基づいて詳細に説明する。
このスライダ用アダプタ３０は、図８に示すように、スライダの内側測定ジョウ１６に固定される固定用本体片部３１と、その固定用本体片部３１に一体化して設けられ、スライダの内側測定ジョウ１６における測定辺１６ａの線分の延長線上に、測定対象物の外側を測定するための測定辺３３ａの線分が位置されるように形成された外側測定片部３３とを備える。
【００２１】
これによれば、図１１に示すように、本尺用アダプタ２０を介して、前述したようにノギス１０の本尺の内側測定ジョウ１３における測定辺１３ａの線分が、工作機械（本形態例では旋盤）の旋回軸の軸線と一致するように、ノギス１０をその工作機械に配置した状態となっており、ノギス１０のスライダ用アダプタ３０が固定されたスライダ１５を使って、測定対象物について、その測定対象物の外側の長さを、ノギス１０の通常の測定操作で直接的に測定することができる。
【００２２】
すなわち、図１１の形態例では、ノギス１０の本尺の内側測定ジョウ１３における測定辺１３ａの線分が、ゼロ点となっており、スライダ用アダプタ３０の外側測定片部３３を測定対象物（本形態例では異形のワーク６０）に当てることで、その測定対象物である異形のワーク６０の外径の長さを適切に測定することができる。この測定操作は、ノギス１０の使用方法と同じであり、容易に行うことができる。
【００２３】
また、本形態例のノギス１０のスライダ用アダプタ３０では、固定用本体片部３１が、ベース片部３２と蓋片部３５とによって構成され、そのベース片部３２と蓋片部３５とによってスライダの内側測定ジョウ１６を挟むことでそのスライダの内側測定ジョウ１６に固定される形態に設けられている。このベース片部３２及び蓋片部３５を備える固定用本体片部３１によれば、スライダ用アダプタ３０をスライダの内側測定ジョウ１６に適切に固定することができる。
【００２４】
本形態例のベース片部３２には、図９に示すように、スライダの内側測定ジョウ１６が嵌る形状のベース側位置決め溝部３２ａと、そのベース側位置決め溝部３２ａを形成するサイド枠部３２ｂに穿設された二つの挟み付け固定用雌螺子部３２ｃ、３２ｃとが設けられている。すなわち、ベース側位置決め溝部３２ａは、スライダの内側測定ジョウ１６が嵌ってスライダ用アダプタ３０の位置決めがなされるように設けられている。
【００２５】
また、本形態例の蓋片部３５には、図１０に示すように、スライダの内側測定ジョウ１６が嵌る形状の蓋側位置決め溝部３５ａと、前述のベース片部３２二つの挟み付け固定用雌螺子部３２ｃ、３２ｃに対応して、固定用ボルト４３が挿通される固定用貫通孔３５ｂが２箇所に設けられている。さらに、蓋側位置決め溝部３５ａが形成された部分には、スライダ用アダプタ３０が脱落することを防止するように、螺子圧を生じさせるために螺合するスライダ用アダプタ３０の止め螺子用雌螺子部３５ｃが設けられている。
【００２６】
本発明に係るノギス１０の本尺用アダプタやスライダ用アダプタ３０を用いることで、基本的に基準の一点からの長さを測定でき、例えばワークの内外径のどちらについても長さ測定ができ、汎用性がある。すなわち、図６、７及び１１に示したワークのように対辺の無い内径及び外径の半径や、基準点からの長さを、好適に測定することができる。また、本形態例では、旋盤の心押し台５１に固定した形態例を示したが、これに限定されるものではなく、例えばフライス盤等ではミーリングチャックに固定することができる。
【００２７】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００２８】
１０  ノギス
１１  本尺
１２  本尺の外側測定ジョウ
１２ａ  位置決め用貫通孔
１３  本尺の内側測定ジョウ
１３ａ  測定辺
１５  スライダ
１６  スライダの内側測定ジョウ
１６ａ  測定辺
２０  本尺用アダプタ
２１  固定用本体部
２２  ベース部
２２ａ  溝部
２２ｂ  位置決め螺子取付用雌螺子部
２２ｃ  枠部
２２ｄ  挟み付け固定用雌螺子部
２３  チャック用シャフト部
２５  蓋部
２５ａ  固定用貫通孔
２５ｂ  凹部
３０  スライダ用アダプタ
３１  固定用本体片部
３２  ベース片部
３２ａ  ベース側位置決め溝部
３２ｂ  サイド枠部
３２ｃ  挟み付け固定用雌螺子部
３３  外側測定片部
３３ａ  測定辺
３５  蓋片部
３５ａ  蓋側位置決め溝部
３５ｂ  固定用貫通孔
３５ｃ  止め螺子用雌螺子部
４１  固定用ボルト
４２  位置決め用ボルト
４３  固定用ボルト
５０  旋盤の三爪チャック
５１  心押し台
５２  軸心線
５３  旋盤の主軸
６０  異形のワーク
【図１】
0003231677.tif 000003
【図２】
0003231677.tif 000004
【図３】
0003231677.tif 000005
【図４】
0003231677.tif 000006
【図５】
0003231677.tif 000007
【図６】
0003231677.tif 000008
【図７】
0003231677.tif 000009
【図８】
0003231677.tif 000010
【図９】
0003231677.tif 000011
【図１０】
0003231677.tif 000012
【図１１】
0003231677.tif 000013